(57)【特許請求の範囲】
【請求項１】
ベース部分（１）と、該ベース部分に結合した弾性保持片（６）とを具え、ベース部分（１）に内ねじを設けた中心貫通孔と、長尺型材のスリット開口部の幅（Ｓ）より小さい幅方向延長部の幅（Ｂ）と、前記幅（Ｓ）より長い長手方向の延長部とを設けた固定ナットにおいて、保持片（６）に互いに直径対向位置に配置され長尺型材のスリット開口部に対して平行に延在するタブ（13）を設け、該タブ（13）を、ベース部分（１）の長手方向延長部に対して平行に延在する曲げ軸線（12）を中心として折り曲げ可能とし、タブ（13）の長手方向延長部の幅はベース部分（１）の幅方向延長部の幅（Ｂ）とほぼ一致させたことを特徴とする長尺型材の固定ナット。
【請求項２】
請求項１記載の固定ナットにおいて、タブ（13）に、ベース部分（１）とは反対側で突条（14）を設けたことを特徴とする長尺型材の固定ナット。
【請求項３】
請求項１又は２に記載の固定ナットにおいて、保持片（６）は、曲げ軸線（12）の領域で肉厚（Ｗ）が漸減させたことを特徴とする長尺型材の固定ナット。
【請求項４】
請求項１〜３のいずれか一項に記載の固定ナットにおいて、保持片（６）の肉厚（Ｗ）を、ベース部分（１）の長手方向で遊端に向けて減少させたことを特徴とする長尺型材の固定ナット。
【発明の詳細な説明】
【０００１】
【技術分野】
本発明は、ベース部分と、該ベース部分に結合した弾性保持片とを具え、ベース部分に外力負荷手段と長手方向および幅方向の延長部とを設けた固定ナットに関するものである。
【０００２】
【背景技術】
米国特許第 3,493,025号に開示されている既知の固定ナットは、略Ｃ字形状断面とした長尺型材に対して構造部材を固定する際に使用されるものであり、この場合に長尺型材の二本の脚部は互いに平行に配置されて長尺型材内部に突出する。その際、ベース部分は長尺型材内部に位置し、仮止め状態では長尺型材内部において軸線方向に変位可能である。ベース部分に結合する保持片は、両脚部間に限定されるスリット開口部の開口領域で長尺型材の外側に接触する。
【０００３】
ベース部分は非円形外形形状を有し、その最小外形寸法は長尺型材の長手方向延長部に対して直角な方向におけるスリット開口部の幅よりも小とされている。荷重負荷手段としての内ねじを設けた中心貫通孔と、固定ナットを長尺型材に装着して仮止め位置まで90°回動させたときに脚部の遊端と協働する互いに平行な一対の歯型領域とを、同様にベース部分に配置する。
【０００４】
保持片は、ベース部分と軸線方向で結合される中心の第一領域と、スリット開口部領域で長尺型材の外面に接触する弾性カラー状の第二領域とを有する。保持片は中心に貫通開口を有し、この貫通開口はベース部分の貫通孔の直径と等しく、さらに、保持片の貫通開口を経てベース部分の中心貫通孔内に突出させることにより構造部材を長尺型材に対して固定するボルトのシャフト径にも等しい。
【０００５】
この既知の固定ナットは、長尺型材に対して手作業で取り付ける際に固定ナットが捕捉しづらいため、ナットの回動作業が容易でない欠点を有している。さらに、ボルトを締結する際に固定ナットがつれ回りを生じ、ベース部分が長尺型材の脚部の遊端に適正に接触しなくなるため、固定ナットが仮止め位置からずれる点でも不利である。
【０００６】
【発明の開示】
本発明の課題は、長尺型材に装着する際には手動で容易に回動させることができ、ボルトを締結する際にはつれ回りを生じないと共に、経済的に製造可能な固定ナットを提案することにある。
【０００７】
この課題を解決するため、本発明は、ベース部分と、該ベース部分に結合した弾性保持片とを具え、ベース部分に内ねじを設けた中心貫通孔と、長尺型材のスリット開口部の幅Ｓより小さい幅方向延長部の幅Ｂと、前記幅Ｓより長い長手方向の延長部とを設けた固定ナットにおいて、保持片に互いに直径対向位置に配置され長尺型材のスリット開口部に対して平行に延在するタブを設け、該タブを、ベース部分の長手方向延長部に対して平行に延在する曲げ軸線を中心として折り曲げ可能とし、タブの長手方向延長部の幅はベース部分の幅方向延長部の幅Ｂとほぼ一致させたことを特徴とするものである。
【０００８】
本発明によれば、タブが保持片に設けられて保持片を拡大する接触面を形成する。この接触面により作業者がナットを手で容易に捕捉することでき、その結果として保持片をベース部分と共に容易に回動させることが可能となる。タブを長尺型材のスリット開口部内に折り曲げると、固定ナットのつれ回り防止手段が形成される。
【０００９】
構造部材を長尺型材に装着する際に、曲げ軸線を中心としてタブを長尺型材のスリット開口部内に自動的に折り曲げるため、タブに、ベース部分とは反対側で突条を設けるのが有利である。これらの突条は、ベース部分とは反対側で保持片から突出するため、手で容易に捕捉できると共に固定ナットの良好な回動を可能とする接触面を形成する。
【００１０】
タブの折り曲げを容易とするため、保持片は、曲げ軸線の領域で肉厚が漸減する形状とするのが有利である。肉厚は、ベース部分と対向する保持片の側で曲げ軸線の長手方向に延在する凹部を設けることにより漸減させることができる。
【００１１】
構造部材を長尺型材に装着する際に、保持片が構造部材と長尺型材との間に中間位置をもたないよう、保持片の肉厚を、ベース部分の長手方向で遊端に向けて減少させるのが有利である。肉厚は、テーパ形状によりほぼゼロにまで減少させ、このテーパ形状はベース部分に対向する保持片の側に形成する。例えば、スリット開口部の端部領域でテーパ角度を減少させ、保持片の肉厚をスリット開口部では一定とし、かつ、スリット開口部を超えた領域から減少させることができる。
【００１２】
【最良の実施形態】
以下、本発明を図示の好適実施例について更に具体的に説明する。
【００１３】
図１〜３に示す固定ナットは、ベース部分１と、ベース部分１に結合した弾性保持片６とを具える。ベース部分１は、非円形頭部と、内ねじ５を設けた中心貫通孔と、互いに平行に延在する２個の歯切り領域２とを有する。円筒形状部３を貫通孔と同軸的に配置し、この円筒形状部３には軸線方向に弾性を有する保持片６を設ける。ベース部分１の円筒形状部３にフック４を半径方向に突出させて設ける。これらのフック４は、保持片６の停止縁部11の背面と係合して、ベース部分１に対して保持片６を軸線方向で相対回転不能に固定する機能を発揮する。停止縁部11は内側リング８の一部を構成し、この内側リング８は、これを包囲する外側リング７と同一面内に配置する。外側リング７は互いに直径対向位置に配置した一対の結合部９を介して内側リング８と弾性的に結合する。フック４及び停止縁部11は、結合部９と同様に互いに直径対向位置に配置し、しかも結合部９に対しては90°だけオフセットした角度位置に配置する。
【００１４】
保持片６における外側リング７の肉厚Ｗは、互いに直径線上で対向する少なくとも一対の領域で遊端に向けて減少させる。このテーパ形状部10は、 ベース部分１と対向する保持片６の側が、ベース部分１とは反対側に向けてほぼゼロまで減少するように形成する。
【００１５】
保持片６の外側リング７に一対のタブ13を接続し、これらのタブ13も同様に直径対向位置に配置する。 ベース部分１と対向するタブ13の側から突条14を突出させ、これら突条14を軸線方向に弾性を有する保持片６と協働させてベース部分１の一層良好な手動回動を可能とする。表面形状を適切に設定して、突条14のグリップ特性を向上する。ベース部分１の長手方向延長部に対して平行に延在するタブ13の幅は、長尺型材15におけるスリット開口部20の幅Ｓよりも小とする。タブ13はベース部分１の長手方向延長部と平行に延在する曲げ軸線12を中心として折り曲げ可能とする。良好な曲げ特性を実現するため、保持片６には曲げ軸線12の領域内で半円形凹部を設ける。この半円形凹部は、ベース部分１に対向する外側リング７の側に配置する。
【００１６】
本発明による固定ナットは、例えば、配管又は構造部材18を断面Ｃ字形状の長尺型材15に対して固定する機能を発揮する。この長尺型材15は、長手方向に延在するスリット開口部20を有する。スリット開口部20の幅Ｓは、互いに平行に長尺型材中に折り曲げた一対の脚部16によって限定する。これら脚部16の遊端に歯型部分17を設けると共に、対応する歯型領域２をベース部分１に設ける。
【００１７】
保持片６を具える幅Ｂのベース部分１をスリット開口部20から長尺型材15中に挿入して90°だけ回動させると、図１〜３に示すように、固定ナットが仮止め位置に達する。タブ13をスリット開口部20の丸めた開口領域から僅かに押し上げることにより、固定ナットの回動の間にタブ13は長尺型材15の表面上で滑動する。この回動中、ベース部分１に設けられた導入斜面は歯型領域２において長尺型材15の脚部16に接触する。導入斜面によりベース部分１及び内側リング８が、保持片６の外側リング７に対して軸線方向に相対変位する。その結果、保持片６には押圧力が作用する。固定ナット１が図１〜３に示す位置に達すると、ベース部分１の歯型領域２は長尺型材15の脚部16における歯型部分17と噛合う。これと同時に、脚部16とは反対方向においてベース部分１は少なくとも歯型部分17の歯状プロファイルの歯たけに相当する量だけ軸線方向に変位可能となる。この状態において、保持片６は軸線方向に付勢される。
【００１８】
保持片における外側リング７は、スリット開口部20の開口領域におけるリング６のテーパ領域に接するため、ベース部分１とは反対側で長尺型材15の表面から突出せず、あるいは極く僅かしか突出しない。
【００１９】
固定ナットを長尺型材15に対して仮止めした後、図３の破線で示すように、構造部材18を長尺型材15に装着することが可能となり、その際に保持片６の突条14の停止面14ａは構造部材18の下面と接触する。 この場合、タブ13は、停止面14ａが長尺型材15の表面15ａに平行となるまで、突条14と共に曲げ軸線12を中心として長尺型材15のスリット開口部20内に折り曲げる。タブ13を設けたことにより、固定ナット１は、 ベース部分１の内ねじ５に係合するボルト19を締結する際につれ回りが不可能となる。
【図面の簡単な説明】
【図１】図１は、本発明の一実施例として、長尺型材と協働する保持片を具える固定ナットを示す正面図である。
【図２】図２は、図１に示した長尺型材、保持片及びベース部分を部分的に破断して示す平面図である。
【図３】図３は、図２の III−III 線に沿う断面図である。
【符号の説明】
１  ベース部分
２  歯型領域
３  円筒形状部材
４  フック
５  内ねじ
６  保持片
７  外側リング
８  内側リング
９  結合部
10  テーパ形状部
11  停止縁部
12  曲げ軸線
13  タブ
14  突条
15  長尺型材
16  脚部
17  歯型部分
18  構造部材
19  固定素子
20  スリット開口部
【図１】
0003725213.tif 000002
【図２】
0003725213.tif 000003
【図３】
0003725213.tif 000004